Podtech/llm-jp-corpus-v4-ja_patent huggingface dataset:
【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による特定動作を検出して受付ける受付手段と、
遊技者による特定動作の対象となる対象物が画像として表現された摸画像表示を表示可能な摸画像表示手段と、
遊技者による特定動作の受付けが許容される受付状態を発生可能であり、該受付状態において遊技者による特定動作が受付けされると、該受付けに応じた表示変化を生じさせる受付状態実行手段と
を備え、
前記受付状態として、第１条件で発生する第１受付状態、前記第１条件とは異なる第２条件で発生する第２受付状態、及び前記第１条件と前記第２条件とのいずれとも異なる第３条件で発生する第３受付状態を含む複数の受付状態が用意されており、
前記第１受付状態では、前記摸画像表示として一の態様のみが表示可能とされ、該摸画像表示は、当該第１受付状態が発生してから前記特定動作の受付けが許容される状態が終了されるまでの間に非表示の状態にされることはなく、
前記第２受付状態では、前記摸画像表示が複数態様のいずれかによって表示可能とされ、該摸画像表示は、当該第２受付状態が発生してから前記特定動作の受付けが許容される状態が終了されるまでの間に非表示の状態にされることはなく、
前記第３受付状態では、前記摸画像表示として一の態様のみが表示可能とされるが、該摸画像表示は、当該第３受付状態が発生してから前記特定動作の受付けが許容される状態が終了されるよりも前に非表示の状態にされうるようになっており、
さらに、
前記第３受付状態では、遊技者による特定動作の受付けが許容される状態にあることを示唆する特定演出が実行可能であり、該特定演出は、前記摸画像表示が表示される期間から、前記摸画像表示が非表示の状態にされる期間へと移行するタイミングにおいても終了されずに継続して実行されるようになっており、
さらに、
前記受付状態において前記摸画像表示の周期的変化が所定時間単位で現れるように表示されている場合、該摸画像表示に対応する特定動作については複数回の受付けが許容されている状態にあるが、前記受付状態において前記摸画像表示の周期的変化が所定時間よりも長い時間単位で現れるように表示されている場合、該摸画像表示に対応する特定動作については複数回の受付けが許容されている状態にある場合と、１回の受付けだけが許容されている状態にある場合との両方がある
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による特定動作を検出して受付ける受付手段と、
遊技者による特定動作の対象となる対象物が画像として表現された摸画像表示を表示可能な摸画像表示手段と、
遊技者による特定動作の受付けが許容される受付状態を発生可能であり、該受付状態において遊技者による特定動作が受付けされると、該受付けに応じた表示変化を生じさせる受付状態実行手段と
を備え、
前記受付状態として、第１条件で発生する第１受付状態、前記第１条件とは異なる第２条件で発生する第２受付状態、及び前記第１条件と前記第２条件とのいずれとも異なる第３条件で発生する第３受付状態を含む複数の受付状態が用意されており、
前記第１受付状態では、前記摸画像表示として一の態様のみが表示可能とされ、該摸画像表示は、当該第１受付状態が発生してから前記特定動作の受付けが許容される状態が終了されるまでの間に非表示の状態にされることはなく、
前記第２受付状態では、前記摸画像表示が複数態様のいずれかによって表示可能とされ、該摸画像表示は、当該第２受付状態が発生してから前記特定動作の受付けが許容される状態が終了されるまでの間に非表示の状態にされることはなく、
前記第３受付状態では、前記摸画像表示として一の態様のみが表示可能とされるが、該摸画像表示は、当該第３受付状態が発生してから前記特定動作の受付けが許容される状態が終了されるよりも前に非表示の状態にされうるようになっており、
さらに、
前記第３受付状態では、遊技者による特定動作の受付けが許容される状態にあることを示唆する特定演出が実行可能であり、該特定演出は、前記摸画像表示が表示される期間から、前記摸画像表示が非表示の状態にされる期間へと移行するタイミングにおいても終了されずに継続して実行されるようになっており、
さらに、
前記受付状態において前記摸画像表示の周期的変化が所定時間単位で現れるように表示されている場合、該摸画像表示に対応する特定動作については複数回の受付けが許容されている状態にあるが、前記受付状態において前記摸画像表示の周期的変化が所定時間よりも長い時間単位で現れるように表示されている場合、該摸画像表示に対応する特定動作については複数回の受付けが許容されている状態にある場合と、１回の受付けだけが許容されている状態にある場合との両方がある
ことを特徴とする遊技機。
【手続補正４】
【補正対象書類名】明細書
【補正対象項目名】０００８
【補正方法】削除
【補正の内容】
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を、表示画面内の所定領域を用いて表示可能な摸画像表示手段と、
前記操作手段に対する操作の受付けが許容される受付状態を発生可能であり、該受付状態において操作が受付けされると、該受付けがなされたことに基づいて受付後演出を実行可能な受付演出実行手段と、
前記操作手段に対する操作の受付けが許容される状態になっていること、または前記操作手段に対する操作の受付けが許容される状態になることを示唆する受付許容音の出力を開始させる処理を実行可能な受付許容音出力手段と
を備え、
前記摸画像表示は、遊技者による操作が受付けされたことに基づいて前記受付後演出が実行開始された以降も表示されうるものであり、
前記摸画像表示が表示されているなかで遊技者による操作が受付けされた場合、該受付けを契機とした前記受付後演出では、前記摸画像表示が非表示になるまでの間に、該摸画像表示が視認し難くなる態様が前記受付けを契機として現れうるようになっており、
前記受付状態において前記受付許容音が出力されているなかで遊技者による操作の受付けがなされると、前記受付許容音出力手段によって前記受付許容音の出力を終了させる処理が実行開始されてから前記摸画像表示が視認し難くなる態様が現れる場合と、前記摸画像表示が視認し難くなる態様が現れてから前記受付許容音の出力が終了されて非可聴の状態になる場合とがあり、
さらに、
前記受付状態の発生タイミングを跨るかたちで特定の前演出表示が表示可能とされ、
前記受付状態において前記特定の前演出表示が表示されているなかで前記受付けがなされた場合、該受付けに応じた前記受付後演出が実行開始される時点において、前記特定の前演出表示は非表示の状態にされておらず表示されており、
さらに、
前記受付状態として、特定の受付状態が用意されており、
前記特定の受付状態は、特定ＢＧＭが非抑制態様で可聴出力されているなかで発生する場合と、特定ＢＧＭが抑制態様または非可聴状態にされてから発生する場合との両方があるようになっており、
さらに、
前記摸画像表示の周期的変化が所定時間単位で現れるように表示される受付状態では、その発生に際して前記受付許容音が出力されるが、前記摸画像表示の周期的変化が前記所定時間よりも長い時間単位で現れるように表示される受付状態では、その発生に際して前記受付許容音が出力される場合と、前記受付許容音が出力されない場合との両方がある
ことを特徴とする遊技機。
【手続補正２】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を、表示画面内の所定領域を用いて表示可能な摸画像表示手段と、
前記操作手段に対する操作の受付けが許容される受付状態を発生可能であり、該受付状態において操作が受付けされると、該受付けがなされたことに基づいて受付後演出を実行可能な受付演出実行手段と、
前記操作手段に対する操作の受付けが許容される状態になっていること、または前記操作手段に対する操作の受付けが許容される状態になることを示唆する受付許容音の出力を開始させる処理を実行可能な受付許容音出力手段と
を備え、
前記摸画像表示は、遊技者による操作が受付けされたことに基づいて前記受付後演出が実行開始された以降も表示されうるものであり、
前記摸画像表示が表示されているなかで遊技者による操作が受付けされた場合、該受付けを契機とした前記受付後演出では、前記摸画像表示が非表示になるまでの間に、該摸画像表示が視認し難くなる態様が前記受付けを契機として現れうるようになっており、
前記受付状態において前記受付許容音が出力されているなかで遊技者による操作の受付けがなされると、前記受付許容音出力手段によって前記受付許容音の出力を終了させる処理が実行開始されてから前記摸画像表示が視認し難くなる態様が現れる場合と、前記摸画像表示が視認し難くなる態様が現れてから前記受付許容音の出力が終了されて非可聴の状態になる場合とがあり、
さらに、
前記受付状態の発生タイミングを跨るかたちで特定の前演出表示が表示可能とされ、
前記受付状態において前記特定の前演出表示が表示されているなかで前記受付けがなされた場合、該受付けに応じた前記受付後演出が実行開始される時点において、前記特定の前演出表示は非表示の状態にされておらず表示されており、
さらに、
前記受付状態として、特定の受付状態が用意されており、
前記特定の受付状態は、特定ＢＧＭが非抑制態様で可聴出力されているなかで発生する場合と、特定ＢＧＭが抑制態様または非可聴状態にされてから発生する場合との両方があるようになっており、
さらに、
前記摸画像表示の周期的変化が所定時間単位で現れるように表示される受付状態では、その発生に際して前記受付許容音が出力されるが、前記摸画像表示の周期的変化が前記所定時間よりも長い時間単位で現れるように表示される受付状態では、その発生に際して前記受付許容音が出力される場合と、前記受付許容音が出力されない場合との両方がある
ことを特徴とする遊技機。
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
蓋体で密閉される容器本体の側壁部の周端縁全周から連続して外側に設けられたフランジ部を備え、
前記フランジ部は、前記側壁部の周端縁に相当するフランジ内端縁部と、前記蓋体を接着するために当該フランジ内端縁部より外側に配置されたシール部と、当該フランジ内端縁部と同等の高さかつ当該シール部より外側に配置されたフランジ外端縁部とを有し、
前記シール部は、前記フランジ部の全周かつ前記フランジ内端縁部から前記フランジ外端縁部に渡って上方向に湾曲したアーチ状に形成されており、
前記フランジ内端縁部側の傾斜角と前記フランジ外端縁部側の傾斜角とは、同等である
ことを特徴とする包装用容器。
【請求項２】
前記容器本体は、合成樹脂シート製であり、
前記合成樹脂シートには、ガスバリア層を含む積層フィルムがラミネートされている
ことを特徴とする請求項１に記載の包装用容器。
【請求項３】
前記合成樹脂シートの厚みは、０．２ｍｍ〜０．８ｍｍである
ことを特徴とする請求項２に記載の包装用容器。
【請求項４】
前記フランジ内端縁部と前記フランジ外端縁部とをつなぐ仮想線から前記シール部の頂点までの垂直距離は、０．１ｍｍ〜０．７ｍｍである
ことを特徴とする請求項１乃至３のいずれか一項に記載の包装用容器。
【請求項５】
シール機で蓋体を接着して容器本体を密閉する包装用容器のシール方法であって、
前記容器本体の側壁部の周端縁全周から連続して外側に設けられたフランジ部は、前記側壁部の周端縁に相当するフランジ内端縁部と、前記蓋体を接着するために前記フランジ内端縁部より外側に配置されたシール部と、前記フランジ内端縁部と同等の高さかつ前記シール部より外側に配置されたフランジ外端縁部とを有し、
前記シール部は、前記フランジ部の全周かつ前記フランジ内端縁部から前記フランジ外端縁部に渡って上方向に湾曲したアーチ状に形成されており、
前記シール部の頂点は、前記フランジ内端縁部と前記フランジ外端縁部とから等距離に位置し、
前記シール部の頂点の高さが前記フランジ内端縁部及び前記フランジ外端縁部の高さと同等になるまで前記シール機で前記蓋体の上から前記シール部を加圧し、
前記フランジ部の全周に渡って前記シール部を前記蓋体に対して平面状に接着する
ことを特徴とする包装用容器のシール方法。

【手続補正２】
【補正対象書類名】明細書
【補正対象項目名】００１２
【補正方法】変更
【補正の内容】
【００１２】
換言すれば、本発明における包装用容器は、蓋体で密閉される容器本体の側壁部の周端縁全周から連続して外側に設けられたフランジ部を備え、上記フランジ部は、上記側壁部の周端縁に相当するフランジ内端縁部と、上記蓋体を接着するために上記フランジ内端縁部より外側に配置されたシール部と、上記フランジ内端縁部と同等の高さかつ上記シール部より外側に配置されたフランジ外端縁部とを有し、上記シール部は、上記フランジ部の全周かつ上記フランジ内端縁部から上記フランジ外端縁部に渡って上方向に湾曲したアーチ状に形成されており、上記フランジ内端縁部側の傾斜角と上記フランジ外端縁部側の傾斜角とは、同等であることを特徴とする。
上記容器本体は、合成樹脂シート製であり、上記合成樹脂シートには、ガスバリア層を含む積層フィルムがラミネートされていることが望ましい。
上記合成樹脂シートの厚みは、０．２ｍｍ〜０．８ｍｍであることが望ましい。
上記フランジ内端縁部と上記フランジ外端縁部とをつなぐ仮想線から上記シール部の頂点までの垂直距離は、０．１ｍｍ〜０．７ｍｍであることが望ましい。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
左右に配置されたサイドフレームの下部を連結する下部フレームを備えるシートフレームであって、
前記下部フレームは、
後方に設けられる後壁部と、
前記後壁部よりも前方に設けられる前壁部と、を有し、
前記前壁部に、乗員を支持する受圧部材を取り付ける取付部を設け、
前記前壁部は、第１の補強部を有することを特徴とするシートフレーム。
【請求項２】
前記第１の補強部は、前記前壁部を該前壁部よりもシート後方に凹ませて形成されていることを特徴とする請求項１に記載のシートフレーム。
【請求項３】
前記第１の補強部は、前記取付部と上下方向において重なる位置に形成されていることを特徴とする請求項１又は２に記載のシートフレーム。
【請求項４】
前記第１の補強部のシート幅方向の端部は、前記第１の補強部と対向する前記取付部よりもシート幅方向外側に位置することを特徴とする請求項１乃至３のいずれか一項に記載のシートフレーム。
【請求項５】
前記第１の補強部は、前記前壁部の上縁に沿った形状であることを特徴とする請求項１乃至４のいずれか一項に記載のシートフレーム。
【請求項６】
前記左右のサイドフレームの下端部の間には、リクライニングユニットの回転軸が設けられており、
前記第１の補強部は、前記回転軸を避けて前記回転軸より前方に設けられることを特徴とする請求項１乃至５のいずれか一項に記載のシートフレーム。
【請求項７】
前記前壁部と前記後壁部が連結される位置に設けられた第２の補強部を有することを特徴とする請求項１乃至６のいずれか一項に記載のシートフレーム。
【請求項８】
前記第１の補強部と前記第２の補強部は、上下に対向した位置に設けられることを特徴とする請求項７に記載のシートフレーム。
【請求項９】
前記取付部は、前記第１の補強部と前記第２の補強部との間に設けられることを特徴とする請求項７又は８に記載のシートフレーム。
【請求項１０】
前記第１の補強部は、前記前壁部の上側においてシート幅方向に並んで複数形成され、
前記第２の補強部は、前記第１の補強部より下方においてシート幅方向に並んで複数形成されており、
シート幅方向において隣り合う前記第１の補強部の第１の間隔は、
シート幅方向において隣り合う前記第２の補強部の第２の間隔よりも短く形成され、
前記第２の間隔は、前記取付部と上下方向にて重ならない位置に形成されることを特徴とする請求項７乃至９のいずれか一項に記載のシートフレーム。
【手続補正２】
【補正対象書類名】明細書
【補正対象項目名】０００６
【補正方法】変更
【補正の内容】
【０００６】
上記の課題は、本発明に係るシートフレームによれば、左右に配置されたサイドフレームの下部を連結する下部フレームを備えるシートフレームであって、前記下部フレームは、後方に設けられる後壁部と、前記後壁部よりも前方に設けられる前壁部と、を有し、前記前壁部に、乗員を支持する受圧部材を取り付ける取付部を設け、前記前壁部は、第１の補強部を有することにより解決される。
上記シートフレームによれば、受圧部材を下部フレームに取り付ける際の作業性を向上させることができる。また受圧部材を取り付ける下部フレームの前壁部の剛性を向上させることができる。これにより、受圧部材の取り付けを安定させることができる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、上記のシートフレームにおいて、前記第１の補強部は、前記前壁部を該前壁部よりもシート後方に凹ませて形成されていることとしてよい。
また、上記のシートフレームにおいて、前記第１の補強部は、前記取付部と上下方向で重なる位置に形成されていることとしてよい。
【手続補正５】
【補正対象書類名】明細書
【補正対象項目名】０００９
【補正方法】変更
【補正の内容】
【０００９】
また、上記のシートフレームにおいて、前記第１の補強部のシート幅方向の端部は、前記第１の補強部と対向する前記取付部よりもシート幅方向外側に位置することとしてよい。
こうすることで、受圧部材を取り付ける取付部についてシート外側からの荷重に対する剛性を向上させることができる。
【手続補正６】
【補正対象書類名】明細書
【補正対象項目名】００１０
【補正方法】変更
【補正の内容】
【００１０】
また、上記のシートフレームにおいて、前記第１の補強部は、前記前壁部の上縁に沿った形状であることとしてよい。
こうすることで、受圧部材を取り付ける下部フレームの前壁部の剛性を向上させることができる。これにより、受圧部材の取り付けを安定させることができる。
【手続補正７】
【補正対象書類名】明細書
【補正対象項目名】００１１
【補正方法】変更
【補正の内容】
【００１１】
また、上記のシートフレームにおいて、前記左右のサイドフレームの下端部の間には、リクライニングユニットの回転軸が設けられており、前記第１の補強部は、前記回転軸を避けて前記回転軸より前方に設けられることとしてよい。
【手続補正８】
【補正対象書類名】明細書
【補正対象項目名】００１２
【補正方法】変更
【補正の内容】
【００１２】
また、上記のシートフレームにおいて、前記前壁部と前記後壁部が連結される位置に設けられた第２の補強部を有することとしてよい。
【手続補正９】
【補正対象書類名】明細書
【補正対象項目名】００１３
【補正方法】変更
【補正の内容】
【００１３】
また、上記のシートフレームにおいて、前記第１の補強部と前記第２の補強部は、上下に対向した位置に設けられることとしてよい。
こうすることで、受圧部材を取り付ける下部フレームの前壁部の剛性を向上させることができる。これにより、受圧部材の取り付けを安定させることができる。
【手続補正１０】
【補正対象書類名】明細書
【補正対象項目名】００１４
【補正方法】変更
【補正の内容】
【００１４】
また、上記のシートフレームにおいて、前記取付部は、前記第１の補強部と前記第２の補強部との間に設けられることとしてよい。
こうすることで、シートフレームにおいて受圧部材の取り付ける取付部周辺の剛性を向上させることができる。
【手続補正１１】
【補正対象書類名】明細書
【補正対象項目名】００１５
【補正方法】変更
【補正の内容】
【００１５】
また、上記のシートフレームにおいて、前記第１の補強部は、前記前壁部の上側においてシート幅方向に並んで複数形成され、前記第２の補強部は、前記第１の補強部より下方においてシート幅方向に並んで複数形成されており、シート幅方向において隣り合う前記第１の補強部の第１の間隔は、シート幅方向において隣り合う前記第２の補強部の第２の間隔よりも短く形成され、前記第２の間隔は、前記取付部と上下方向にて重ならない位置に形成されることとしてよい。
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
ローリングサークル増幅（ＲＣＡ）産物の定量方法であって、
（ａ）基材の表面上にばらまかれた標識されたＲＣＡ産物を含む基材を得ることであって、当該ＲＣＡ産物が基材上にばらまかれる前に標識され、標識されたＲＣＡ産物の各々が、ＲＣＡ産物における反復する配列とハイブリッド形成する標識されたオリゴヌクレオチドを複数含むものである、得ることと、
（ｂ）基材のある領域に存在する標識されたＲＣＡ産物の数を数えることと
を含む、方法。
【請求項２】
前記標識されたＲＣＡ産物を含む基材が、一揃いの区別可能に標識されたＲＣＡ産物を多数含み、当該多数の一揃いの区別可能に標識されたＲＣＡ産物が、基材上にばらまかれる前に区別可能に標識される、請求項１に記載の方法。
【請求項３】
前記多数の一揃いの区別可能に標識されたＲＣＡ産物が、第１の染色体に相当する第１の一揃いのＲＣＡ産物および第２の染色体に相当する第２の一揃いのＲＣＡ産物を含む、請求項２に記載の方法。
【請求項４】
前記第１の染色体および第２の染色体が、染色体２１、１８および１３から選択される、請求項３に記載の方法。
【請求項５】
前記多数の一揃いの区別可能に標識されたＲＣＡ産物が、ヒト染色体１８に相当する一揃いのＲＣＡ産物およびヒト染色体２１に相当する一揃いのＲＣＡ産物を含む、請求項４に記載の方法。
【請求項６】
前記基材の表面上にばらまかれた標識されたＲＣＡ産物を含む基材を得ることが、さらに、基材の表面上にばらまかれた第１および第２の複数の標識されたＲＣＡ産物を含む基材を得ることであって、
（ｉ）当該第１および第２の複数の複合体が区別可能に標識され、
（ｉｉ）当該第１および第２の複数の複合体が異なる染色体に相当するものである、得ることを含む、請求項１に記載の方法。
【請求項７】
前記第１および第２の複数の標識されたＲＣＡ産物が蛍光標識されている、請求項３に記載の方法。
【請求項８】
前記標識されたＲＣＡ産物の少なくともいくつかが、ヒトゲノムＤＮＡの断片の配列を含む、請求項１に記載の方法。
【請求項９】
前記断片が、１０〜３０ヌクレオチド長の範囲である、請求項８に記載の方法。
【請求項１０】
前記ＲＣＡ産物が、妊娠女性の血液由来のｃｆＤＮＡの断片を含む、請求項１に記載の方法。
【請求項１１】
前記基材が、少なくとも１０００の標識されたＲＣＡ産物を含む、請求項１に記載の方法。
【請求項１２】
前記ＲＣＡ産物が、ヒトゲノムＤＮＡとカスタム配列とから構成される、請求項１に記載の方法。
【請求項１３】
前記基材が、平面支持体である、請求項１に記載の方法。
【請求項１４】
前記数えることが、顕微鏡により実施される、請求項１に記載の方法。
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
配列番号４４に示される成熟ヒトリポカリン２（ｈＬｃｎ２、ｈＮＧＡＬ）の直鎖状ポリペプチド配列における配列位置９６、１００、及び１０６に対応する配列位置のうちのいずれかにおける１つ、２つまたは３つの突然変異したアミノ酸残基を含み、検出可能な親和性で所定の非天然標的に結合することができるヒトリポカリン２（ｈＬｃｎ２、ｈＮＧＡＬ）突然変異タンパク質。
【請求項２】
配列番号４４に示される成熟ｈＬｃｎ２の直鎖状ポリペプチド配列における配列位置９６、１００、及び１０６に対応する配列位置のうちのいずれかにおける２つまたは３つの突然変異したアミノ酸残基を含む、請求項１に記載の突然変異タンパク質。
【請求項３】
配列番号４４に示される成熟ｈＬｃｎ２の直鎖状ポリペプチド配列における配列位置３６、４０、４１、４９、５２、６８、７０、７２、７３、７７、７９、８１、１０３、１２５、１２７、１３２及び１３４に対応する配列位置のいずれかで少なくとも１、２、３、４、５、６、７、８、９、１０、１１、１２、１３、１４、１５、１６または１７の突然変異したアミノ酸残基をさらに含む、請求項１または２に記載の突然変異タンパク質。
【請求項４】
配列番号４４に示される成熟ｈＬｃｎ２の直鎖状ポリペプチド配列における配列位置３６、４０、４１、４９、５２、６８、７０、７２、７３、７７、７９、８１、１０３、１２５、１２７、１３２及び１３４に対応する配列位置のいずれかで１２、１３、１４、１５、１６または１７の突然変異したアミノ酸残基を含む、請求項１乃至３のいずれか一項に記載の突然変異タンパク質。
【請求項５】
配列番号４４に示される成熟ｈＬｃｎ２の直鎖状ポリペプチド配列における配列位置３６、４０、４１、４９、５２、６８、７０、７２、７３、７７、７９、８１、９６、１００、１０３、１０６、１２５、１２７、１３２及び１３４に対応する配列位置のいずれかで１３、１４、１５、１６または１７の突然変異したアミノ酸残基を含む、請求項１乃至４のいずれか一項に記載の突然変異タンパク質。
【請求項６】
配列番号４４に示される成熟ｈＬｃｎ２の直鎖状ポリペプチド配列における配列位置３６、４０、４１、４９、５２、６８、７０、７２、７３、７７、７９、８１、９６、１００、１０３、１０６、１２５、１２７、１３２及び１３４に対応する配列位置のいずれかで１８、１９または２０の突然変異したアミノ酸残基を含む、請求項５に記載の突然変異タンパク質。
【請求項７】
配列番号４４に示される成熟ｈＬｃｎ２の直鎖状ポリペプチド配列に少なくとも７０％の配列同一性を有する、請求項１乃至６のいずれか一項に記載の突然変異タンパク質。
【請求項８】
配列番号４４に示される成熟ｈＬｃｎ２の直鎖状ポリペプチド配列に少なくとも７０％の配列同一性を有する、請求項１乃至７のいずれか一項に記載の突然変異タンパク質。
【請求項９】
前記非天然標的が、ペプチド、タンパク質、タンパク質のフラグメント若しくはドメイン、または有機小分子である、請求項１乃至８のいずれか一項に突然変異タンパク質。
【請求項１０】
前記有機小分子が、免疫学的ハプテンの特性を示す化合物である、請求項９に記載の突然変異タンパク質。
【請求項１１】
前記ペプチドが、２〜４５アミノ酸の長さを有する、請求項９に記載の突然変異タンパク質。
【請求項１２】
配列番号４４に示される成熟ｈＬｃｎ２の直鎖状ポリペプチド配列について、Ｇｌｕ２８→Ｈｉｓ、及びＣｙｓ８７→Ｓｅｒからなる群から選択される１または複数の突然変異したアミノ酸残基をさらに含む、請求項１乃至１１のいずれか一項に記載の突然変異タンパク質。
【請求項１３】
有機分子、酵素標識、放射性標識、呈色標識、蛍光標識、発色標識、発光標識、ハプテン、ジゴキシゲニン、ビオチン、細胞増殖抑制剤、毒素、金属錯体、金属またはコロイド金の一に接合された、請求項１乃至１２のいずれか一項に記載の突然変異タンパク質。
【請求項１４】
融合パートナーであるタンパク質、タンパク質ドメイン、又はペプチドに、そのＮ末端及び／またはそのＣ末端で融合された、請求項１乃至１３のいずれか一項に記載の突然変異タンパク質。
【請求項１５】
前記突然変異タンパク質の血清半減期を延長する化合物に接合された、請求項１乃至１４のいずれか一項に記載の突然変異タンパク質。
【請求項１６】
１００μＭ若しくはそれ以下、１０μＭ若しくはそれ以下、１μＭ若しくはそれ以下、５００ｎＭ若しくはそれ以下、２００ｎＭ若しくはそれ以下、１００ｎＭ若しくはそれ以下、５０ｎＭ若しくはそれ以下、１０ｎＭ若しくはそれ以下、または１ｎＭ若しくはそれ以下のＫＤ値で前記所定の非天然標的に結合する、請求項１乃至１５のいずれか一項に記載の突然変異タンパク質。
【請求項１７】
配列番号４４に示される成熟ヒトリポカリン２（ｈＬｃｎ２、ｈＮＧＡＬ）の直鎖状ポリペプチド配列における配列位置９６、１００、及び１０６に対応する配列位置のうちのいずれかにおける１つ、２つまたは３つの突然変異したアミノ酸残基を含むｈＬｃｎ２突然変異タンパク質をコードする核酸ライブラリ。
【請求項１８】
前記突然変異タンパク質が、配列番号４４に示される成熟ｈＬｃｎ２の直鎖状ポリペプチド配列における配列位置３６、４０、４１、４９、５２、６８、７０、７２、７３、７７、７９、８１、１０３、１２５、１２７、１３２及び１３４に対応する配列位置のいずれかで１２、１３、１４、１５、１６または１７の突然変異したアミノ酸残基をさらに含む、請求項１７に記載の核酸ライブラリ。
【請求項１９】
前記突然変異タンパク質が、配列番号４４に示されるアミノ酸配列に少なくとも７０％の配列同一性を有する、請求項１７または１８に記載の核酸ライブラリ。
【請求項２０】
請求項１乃至１６のいずれか一項に記載の突然変異タンパク質をコードするヌクレオチド配列を含むか、または請求項１７乃至１９のいずれか一項に記載のライブラリーに含まれる単離された核酸分子。
【請求項２１】
ベクターの中に含まれている、請求項２０に記載の核酸分子。
【請求項２２】
請求項２０または２１に記載の核酸分子を含む宿主細胞。
【請求項２３】
請求項１乃至１６のいずれか一項に記載の突然変異タンパク質の産生方法であって、
前記突然変異タンパク質、前記突然変異タンパク質のフラグメント、または前記突然変異タンパク質と他のポリペプチドとの融合タンパク質が、前記突然変異タンパク質、前記突然変異タンパク質のフラグメント、または前記融合タンパク質をコードする核酸から出発して産生される方法。
【請求項２４】
請求項１乃至１６のいずれか一項に記載の少なくとも１つの突然変異タンパク質を含む医薬組成物。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
細胞中のＴＭＰＲＳＳ６発現を阻害するための二本鎖ＲＮＡｉ剤であって、
二本鎖領域を形成するセンス鎖およびアンチセンス鎖を含み、
前記アンチセンス鎖が、ヌクレオチド配列ＡＧＡＡＵＧＡＡＣＣＡＧＡＡＧＡＡＧＣ（配列番号１１０）と３ヌクレオチド以下で異なる少なくとも１５個の連続ヌクレオチドを含み、
各鎖が、独立して１５〜３０ヌクレオチド長であり、
少なくとも１つのヌクレオチドが修飾ヌクレオチドであり、
少なくとも１本の鎖がリガンドに接合している、二本鎖ＲＮＡｉ剤。
【請求項２】
細胞中のＴＭＰＲＳＳ６発現を阻害するための二本鎖ＲＮＡｉ剤であって、
二本鎖領域を形成するセンス鎖およびアンチセンス鎖を含み、
前記アンチセンス鎖が、ヌクレオチド配列ＡＧＡＡＵＧＡＡＣＣＡＧＡＡＧＡＡＧＣ（配列番号１１０）と３ヌクレオチド以下で異なる少なくとも１６個の連続ヌクレオチドを含み、
各鎖が、独立して１５〜３０ヌクレオチド長であり、
少なくとも１つのヌクレオチドが修飾ヌクレオチドであり、
少なくとも１本の鎖がリガンドに接合している、二本鎖ＲＮＡｉ剤。
【請求項３】
各鎖が、独立して１５〜２５ヌクレオチド長である、請求項１または２に記載の二本鎖ＲＮＡｉ剤。
【請求項４】
各鎖が、独立して１９〜２４ヌクレオチド長である、請求項１または２に記載の二本鎖ＲＮＡｉ剤。
【請求項５】
各鎖が、独立して１９〜２１ヌクレオチド長である、請求項１または２に記載の二本鎖ＲＮＡｉ剤。
【請求項６】
各鎖が、３０ヌクレオチド長以下である、請求項１または２に記載の二本鎖ＲＮＡｉ剤。
【請求項７】
前記センス鎖の実質的に全てのヌクレオチド、および前記アンチセンス鎖の実質的に全てのヌクレオチドが、修飾ヌクレオチドである、請求項１または２に記載の二本鎖ＲＮＡｉ剤。
【請求項８】
前記センス鎖の全てのヌクレオチド、および前記アンチセンス鎖の全てのヌクレオチドが、修飾ヌクレオチドである、請求項１または２に記載の二本鎖ＲＮＡｉ剤。
【請求項９】
前記修飾ヌクレオチドの少なくとも１つが、２’−Ｏ−メチル修飾ヌクレオチド、５’−ホスホロチオエート基を含むヌクレオチド、コレステリル誘導体またはドデカン酸ビスデシルアミド基に連結する末端ヌクレオチド、ロックされたヌクレオチド、脱塩基ヌクレオチド、２’−デオキシ−２’−フルオロ修飾ヌクレオチド、２’−デオキシ修飾ヌクレオチド、２’−アミノ修飾ヌクレオチド、２’−アルキル修飾ヌクレオチド、モルホリノヌクレオチド、ホスホロアミダート、および非天然塩基包含ヌクレオチドからなる群から選択される、請求項１または２に記載の二本鎖ＲＮＡｉ剤。
【請求項１０】
前記修飾ヌクレオチドの少なくとも１つが、２’−Ｏ−メチル修飾ヌクレオチド、５’−ホスホロチオエート基を含むヌクレオチド、脱塩基ヌクレオチド、および２’−アミノ修飾ヌクレオチドからなる群から選択される、請求項１または２に記載の二本鎖ＲＮＡｉ剤。
【請求項１１】
少なくとも１本の鎖が、少なくとも１ヌクレオチドのオーバーハングを含む、請求項１に記載の二本鎖ＲＮＡｉ剤。
【請求項１２】
前記剤が、少なくとも１つのホスホロチオエートヌクレオチド間結合をさらに含む、請求項１に記載の二本鎖ＲＮＡｉ剤。
【請求項１３】
前記リガンドが、Ｎ−アセチルガラクトサミン（ＧａｌＮＡｃ）誘導体である、請求項１に記載の二本鎖ＲＮＡｉ剤。
【請求項１４】
請求項１に記載の剤を含む、ＴＭＰＲＳＳ６遺伝子の発現を阻害するための医薬組成物。
【請求項１５】
請求項２に記載の剤を含む、ＴＭＰＲＳＳ６遺伝子の発現を阻害するための医薬組成物。
【請求項１６】
ＴＭＰＲＳＳ６発現によって媒介される障害を有するヒト対象を治療する方法に使用するための、請求項１もしくは２に記載の二本鎖ＲＮＡｉ剤、または請求項１４もしくは１５に記載の医薬組成物。
【請求項１７】
前記ヒトが、ヘモクロマトーシスと関連する障害を有する、請求項１６に記載の二本鎖ＲＮＡｉ剤または医薬組成物。
【請求項１８】
前記ヒトが、βサラセミアを有する、請求項１６に記載の二本鎖ＲＮＡｉ剤または医薬組成物。
【請求項１９】
前記ヒトが、中間型βサラセミアを有する、請求項１６に記載の二本鎖ＲＮＡｉ剤または医薬組成物。
【請求項２０】
前記二本鎖ＲＮＡｉ剤が、皮下または静脈内投与される、請求項１６に記載の二本鎖ＲＮＡｉ剤または医薬組成物。
【請求項２１】
細胞中のＴＭＰＲＳＳ６発現を阻害する方法に使用するための二本鎖ＲＮＡｉ剤または医薬組成物であって、前記方法が、
（ａ）請求項１に記載の二本鎖ＲＮＡ（ｄｓＲＮＡ）を細胞に導入するステップと；
（ｂ）ステップ（ａ）で生成された細胞をＴＭＰＲＳＳ６遺伝子のｍＲＮＡ転写物の分解を得るのに十分な時間維持し、それによって細胞中のＴＭＰＲＳＳ６遺伝子の発現を阻害するステップとを含む、
請求項１もしくは２に記載の二本鎖ＲＮＡｉ剤、または請求項１４もしくは１５に記載の医薬組成物。
【請求項２２】
前記ＴＭＰＲＳＳ６の発現が、少なくとも３０％阻害される、請求項２１に記載の二本鎖ＲＮＡｉ剤または医薬組成物。
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
ヒト肝細胞分化を誘導するための方法であって、
（ｉ）ヒト胚体内胚葉（ＤＥ）細胞の集団を肝細胞誘導培地中においてヒトラミニンからなるマトリックス上で培養することにより、ヒト肝芽細胞様細胞の集団を誘導するステップと、
（ｉｉ）任意選択で、前記ヒト肝芽細胞様細胞の集団を肝細胞成熟培地中においてヒトラミニンからなるマトリックス上で培養することにより、肝細胞様細胞の集団を誘導するステップと、
を含む方法であって、前記ラミニンはヒトラミニンである、方法。
【請求項２】
肝細胞分化を誘導するための方法であって、
（ｉ）ヒト多能性細胞または多分化能細胞の集団を内胚葉誘導培地中においてヒトラミニンからなるマトリックス上で培養することにより、ヒトＤＥ細胞の集団を誘導するステップと、
（ｉｉ）任意選択で、前記ヒトＤＥ細胞の集団を肝細胞誘導培地中においてヒトラミニンからなるマトリックス上で培養することにより、ヒト肝芽細胞様細胞の集団を誘導するステップと、
（ｉｉｉ）任意選択で、前記ヒト肝芽細胞様細胞の集団を肝細胞成熟培地中においてヒトラミニンからなるマトリックス上で培養することにより、ヒト肝細胞様細胞の集団を誘導するステップ、
を含む方法であって、前記ラミニンはヒトラミニンである、方法。
【請求項３】
前記肝細胞誘導培地が、骨形成タンパク質４（ＢＭＰ４）および線維芽細胞増殖因子１０または２（ＦＧＦ１０またはＦＧＦ２）を含む既知組成培地である、請求項１または２に記載の方法。
【請求項４】
前記肝細胞成熟培地が、肝細胞増殖因子（ＨＧＦ）およびオンコスタチンＭ（ＯＳＭ）を含む既知組成培地である、請求項１または２に記載の方法。
【請求項５】
前記内胚葉誘導培地が、少なくともアクチビンＡを含み、任意選択でＷＮＴ３Ａを含む既知組成培地である、請求項２に記載の方法。
【請求項６】
前記肝細胞誘導培地および／または前記内胚葉誘導培地が、ＲＯＣＫ阻害剤および／またはＣＨＩＲ９９０２１をさらに含む、請求項１〜５のいずれか１項に記載の方法。
【請求項７】
ＬＮがラミニン−１１１（ＬＮ−１１１）、ラミニン−２１１（ＬＮ−２１１）、ラミニン−３３２（ＬＮ−３３２）、ラミニン−４１１（ＬＮ−４１１）、ラミニン４２１（ＬＮ−４２１）、ラミニン−５１１（ＬＮ−５１１）およびラミニン−５２１（ＬＮ−５２１）からなる群より選択される、請求項１〜６のいずれか１項に記載の方法。
【請求項８】
ＬＮがヒト組換えＬＮ−１１１またはヒト組換えＬＮ−５２１またはそれらの組み合わせである、請求項７に記載の方法。
【請求項９】
ヒトラミニンからなるマトリックスでコーティングされた支持体と、ＢＭＰ４、ＦＧＦ１０、またはＦＧＦ２、および任意選択でＨＧＦ、ＯＳＭ、アクチビンＡ、ＣＨＩＲ９９０２１およびＷＮＴ３Ａを含む因子とを含む、請求項１または２に記載の方法において使用するための、ヒト肝細胞分化を誘導するためのキット。
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
アルコール濃度が１〜１２ｗ／ｖ％の柑橘系香味成分を含有するアルコール飲料において、飲料中に、パラサイメンを０．０５〜１．０ｐｐｍ含有させ、かつ塩化ナトリウムを０．００３〜０．０５ｗ／ｖ％添加、含有させることを特徴とする、柑橘系香味成分を含有するアルコール飲料の果汁感が増強、改善され、かつ、アルコール感が抑制された高香味容器詰アルコール飲料（ただし、苦味物質として、カフェイン、ナリンジン、ニガヨモギ抽出物、β−グルコオリゴ糖及びホップ由来の群から選択された１種以上を配合したアルコール飲料を除く）の製造方法。
【請求項２】
柑橘系香味成分として、柑橘系果汁を含有させたことを特徴とする請求項１に記載の高香味容器詰アルコール飲料の製造方法。
【請求項３】
アルコール濃度が４〜１０ｖ／ｖ％である請求項１又は２に記載の高香味容器詰アルコール飲料の製造方法。
【請求項４】
請求項１〜３のいずれかに記載の容器詰アルコール飲料の製造方法によって製造された果汁感が増強、改善され、かつ、アルコール感が抑制された高香味容器詰アルコール飲料（ただし、苦味物質として、カフェイン、ナリンジン、ニガヨモギ抽出物、β−グルコオリゴ糖及びホップ由来の群から選択された１種以上を配合したアルコール飲料を除く）。
【手続補正２】
【補正対象書類名】明細書
【補正対象項目名】００１２
【補正方法】変更
【補正の内容】
【００１２】
本発明の課題は、アルコール濃度が１〜１２ｗ／ｖ％の柑橘系香味成分を含有するアルコール飲料において、柑橘系アルコール飲料の爽やかな香味を保持しつつ、アルコール飲料の果汁感が増強、改善され、かつ、アルコール感が抑制された高香味の容器詰アルコール飲料を提供することにある。
【手続補正３】
【補正対象書類名】明細書
【補正対象項目名】００１３
【補正方法】変更
【補正の内容】
【００１３】
本発明者らは、上記課題を解決するべく、柑橘系アルコール飲料の爽やかな香味を保持しつつ、アルコール飲料の果汁感が増強、改善され、かつ、アルコール感が抑制された高香味の容器詰アルコール飲料の提供について鋭意検討する中で、アルコール濃度が１〜１２ｗ／ｖ％の柑橘系香味成分を含有するアルコール飲料において、飲料中に、パラサイメンを特定含有量に含有させ、かつ塩化ナトリウムを特定量添加、含有させることにより、柑橘系アルコール飲料の爽やかな香味を保持しつつ、アルコール飲料の果汁感が増強、改善され、かつ、アルコール感が抑制された高香味の容器詰アルコール飲料を提供することができることを見出し、本発明を完成するに至った。
【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
アシル-ACPから脂肪アルデヒドへの変換を触媒するバリアントアシル-ACPレダクターゼ（AAR）ポリペプチドを含む、組換え細菌細胞であって、
該AARポリペプチドが、SEQ ID NO：28に対して少なくとも90％の配列同一性を有するアミノ酸配列を含み、かつ
該バリアントAARポリペプチドが、
SEQ ID NO：28の17位に対応する位置における、V17L、V17N、V17CおよびV17Wからなる群より選択される置換突然変異；
SEQ ID NO: 28の18位に対応する位置における、S18M、S18F、S18Y、S18L、S18CおよびS18Vからなる群より選択される置換突然変異；
SEQ ID NO: 28の19位に対応する位置における、R19V、R19T、R19I、R19AおよびR19Mからなる群より選択される置換突然変異；
SEQ ID NO: 28の23位に対応する位置における、Y23Nである置換突然変異；
SEQ ID NO: 28の96位に対応する位置における、S96Tである置換突然変異；
SEQ ID NO: 28の274位に対応する位置における、I274Nである置換突然変異；
SEQ ID NO: 28の283位に対応する位置における、E283Kである置換突然変異；ならびに
SEQ ID NO: 28の291位に対応する位置における、M291Vである置換突然変異
からなる群より選択される置換突然変異を含み、
該バリアントAARポリペプチドの発現が、該組換え細菌細胞によって産生される脂肪アルコールの力価を、SEQ ID NO: 28に記載のアミノ酸配列を有するAARポリペプチドを発現する細菌細胞によって産生される脂肪アルコールの力価と比較して増大させる、
前記組換え細菌細胞。
【請求項２】
SEQ ID NO: 28に記載のアミノ酸配列を有するAARポリペプチドを発現する細菌細胞と比較して、C14アルコールの比率の増加を生じる、請求項1記載の組換え細菌細胞。
【請求項３】
バリアントAARポリペプチドが、SEQ ID NO：28に対して少なくとも95％の配列同一性を有する、請求項1または2記載の組換え細菌細胞。
【請求項４】
バリアントAARポリペプチドが、SEQ ID NO：28に対して少なくとも96％の配列同一性を有する、請求項1または2記載の組換え細菌細胞。
【請求項５】
バリアントAARポリペプチドが、SEQ ID NO：28に対して少なくとも97％の配列同一性を有する、請求項1または2記載の組換え細菌細胞。
【請求項６】
バリアントAARポリペプチドが、SEQ ID NO：28に対して少なくとも98％の配列同一性を有する、請求項1または2記載の組換え細菌細胞。
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
遊技者による操作を受ける操作受け部と、
前記操作受け部に対する操作の受付けが許容される受付許容状態を発生可能であり、該受付許容状態において遊技者による操作が受付けされると、該受付許容状態の種別に応じた受付後表示を表示させる受付状態実行手段と、
前記受付許容状態が発生した場合、前記操作受け部を摸した摸画像表示を表示する摸画像表示手段と
を備え、
前記操作受け部として、第１操作受け部、第２操作受け部、及び第３操作受け部を含む複数の操作受付部が用意されており、
前記受付許容状態として、特定の受付許容状態を含む複数種別の受付許容状態が用意されており、
前記特定の受付許容状態では、
前記第１操作受け部を摸した第１摸画像表示、前記第２操作受け部を摸した第２摸画像表示、及び前記第３操作受け部を摸した第３摸画像表示が少なくとも表示されるにもかかわらず、前記第１操作受け部、前記第２操作受け部及び前記第３操作受け部のうち、前記第３操作受け部は、操作の受付けが許容されていない状態にあり、
前記複数の操作受付部のうち前記第１操作受け部に対する操作の受付けがなされたときには、それまで表示されていた前記第１摸画像表示、前記第２摸画像表示、及び前記第３摸画像表示のうち、受付けがなされていない操作受け部を摸した前記第２摸画像表示及び前記第３摸画像表示を少なくとも非表示にするようになっており、
前記複数の操作受付部のうち前記第２操作受け部に対する操作の受付けがなされたときには、該受付けに応じた受付後表示が表示されうるが、前記第１摸画像表示、前記第２摸画像表示、及び前記第３摸画像表示はいずれも該受付けを契機として非表示にされないようになっており、
さらに、
前記複数種別の受付許容状態には、前記特定の受付許容状態とは異なる所定の受付許容状態が含まれており、
前記所定の受付許容状態において前記第１摸画像表示が表示されているなかで前記第１操作受け部に対する操作の受付けがなされた場合は、該受付けがなされたことを契機として前記第１摸画像表示が非表示にされるよりも前にこれを視認し難くする別画像表示を表示可能であるが、前記特定の受付許容状態において前記第１操作受け部に対する操作の受付けがなされたことを契機として前記第２摸画像表示及び前記第３摸画像表示が非表示にされるときにはこれらが視認し難くされる別画像表示が表示されることはないようになっており、
さらに、
前記所定の受付許容状態が発生する場合、該所定の受付許容状態の発生タイミングを跨るかたちで所定の前演出表示が表示され、該所定の受付許容状態において前記所定の前演出表示が表示されているなかで前記受付けがなされた場合、該受付けに応じた所定の受付後演出が実行開始される時点において、前記所定の前演出表示は非表示の状態にされておらず表示されている
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
遊技者による操作を受ける操作受け部と、
前記操作受け部に対する操作の受付けが許容される受付許容状態を発生可能であり、該受付許容状態において遊技者による操作が受付けされると、該受付許容状態の種別に応じた受付後表示を表示させる受付状態実行手段と、
前記受付許容状態が発生した場合、前記操作受け部を摸した摸画像表示を表示する摸画像表示手段と
を備え、
前記操作受け部として、第１操作受け部、第２操作受け部、及び第３操作受け部を含む複数の操作受付部が用意されており、
前記受付許容状態として、特定の受付許容状態を含む複数種別の受付許容状態が用意されており、
前記特定の受付許容状態では、
前記第１操作受け部を摸した第１摸画像表示、前記第２操作受け部を摸した第２摸画像表示、及び前記第３操作受け部を摸した第３摸画像表示が少なくとも表示されるにもかかわらず、前記第１操作受け部、前記第２操作受け部及び前記第３操作受け部のうち、前記第３操作受け部は、操作の受付けが許容されていない状態にあり、
前記複数の操作受付部のうち前記第１操作受け部に対する操作の受付けがなされたときには、それまで表示されていた前記第１摸画像表示、前記第２摸画像表示、及び前記第３摸画像表示のうち、受付けがなされていない操作受け部を摸した前記第２摸画像表示及び前記第３摸画像表示を少なくとも非表示にするようになっており、
前記複数の操作受付部のうち前記第２操作受け部に対する操作の受付けがなされたときには、該受付けに応じた受付後表示が表示されうるが、前記第１摸画像表示、前記第２摸画像表示、及び前記第３摸画像表示はいずれも該受付けを契機として非表示にされないようになっており、
さらに、
前記複数種別の受付許容状態には、前記特定の受付許容状態とは異なる所定の受付許容状態が含まれており、
前記所定の受付許容状態において前記第１摸画像表示が表示されているなかで前記第１操作受け部に対する操作の受付けがなされた場合は、該受付けがなされたことを契機として前記第１摸画像表示が非表示にされるよりも前にこれを視認し難くする別画像表示を表示可能であるが、前記特定の受付許容状態において前記第１操作受け部に対する操作の受付けがなされたことを契機として前記第２摸画像表示及び前記第３摸画像表示が非表示にされるときにはこれらが視認し難くされる別画像表示が表示されることはないようになっており、
さらに、
前記所定の受付許容状態が発生する場合、該所定の受付許容状態の発生タイミングを跨るかたちで所定の前演出表示が表示され、該所定の受付許容状態において前記所定の前演出表示が表示されているなかで前記受付けがなされた場合、該受付けに応じた所定の受付後演出が実行開始される時点において、前記所定の前演出表示は非表示の状態にされておらず表示されている
ことを特徴とする遊技機。
【手続補正４】
【補正対象書類名】明細書
【補正対象項目名】０００８
【補正方法】削除
【補正の内容】